(57)【要約】 【課題】竪樋の切断位置が明確に確認できて竪樋が排水管カバーに確実に所定長さ挿入される排水管カバーの構造を提供する。【解決手段】排水管カバー３０は筒形状で下端部３０ａの外周囲にスカート部３０ｂを備え、スカート部３０ｂと下端部３０ａの間に空間部３０ｃが形成される。排水管カバー３０は排水管２８に挿入されるとともに排水管２８の上端部２８ａはスカート部３０ｂの空間部３０ｃに納まる。排水管２８を蔽囲する状態で排水管カバー３０に竪樋２６の下端部２６ｂが挿入される。排水管カバー３０の側面３０ｄに竪樋２６の挿入する長さを確認するための目盛り３３が形成される。目盛り３３は数字３３ａと横線３３ｂが一対で表示されており、竪樋２６の下端部２６ｂを排水管カバー３０の目盛り３３に沿わせた状態で切断して先端２６ｃを形成するので、排水管カバー３０の最適な目標の位置Ｐまで先端２６ｃを確実に挿入できる。【選択図】  図３
2009174211.tif 000002
【特許請求の範囲】
【請求項１】
竪樋の下端部を挿入し排水管を蔽囲する筒形状の排水管カバーの構造であって、
前記排水管カバーの側面に前記竪樋の挿入する長さを示す目盛りが形成されることを特徴とする排水管カバーの構造。
【請求項２】
請求項１に記載の排水管カバーの構造であって、前記排水管カバーの側面に前記竪樋の挿入された下端部を目視する透明部が形成されることを特徴とする排水管カバーの構造。
【請求項３】
請求項１又は請求項２に記載の排水管カバーの構造であって、前記透明部は前記排水管カバーの側面に形成された矩形スリット部に内嵌めされる本体部と、この本体部の周縁部に形成され前記側面を内外側から挟持する溝型縁部とで形成されることを特徴とする排水管カバーの構造。
【請求項４】
請求項１又は請求項２に記載の排水管カバーの構造であって、前記透明部は前記排水管カバーの側面に形成された矩形スリット部に内嵌めされる本体部と、この本体部の周縁部に形成され前記側面の内側に貼り付けられる内周縁部とで形成されることを特徴とする排水管カバーの構造。
【発明の詳細な説明】
【技術分野】
【０００１】
本発明は、建築物に取付けられる竪樋用の排水管カバーの構造に関し、詳しくは、竪樋の取付けに際して排水管カバーに竪樋の下端部が所定長さだけ確実に挿入される排水管カバーの構造に関する。
【背景技術】
【０００２】
従来、建物への竪樋の取付現場においては、竪樋の上端部を予め軒樋に連結した状態で下端部を所定の位置で切断して排水管カバーに挿入される。この場合、竪樋の下端部は排水管カバーに挿入しない状態で切断されるので、稀に、排水管カバーに挿入された状態での竪樋の下端部が排水管カバーに対して適切な位置で切断されてないという状態が発生する。このため、季節の温度変化による熱伸縮によって隙間発生による排水管カバーからの雨水漏れや排水管カバー・竪樋の破損が発生して品質が損なわれるという問題があった。
【０００３】
この問題を解決する方法が特許文献１に開示されている。図６に示すように、この排水管カバーＧは上端に竪樋差込口５を有するとともに下端に排水管差込口６を有する筒体１であり、筒体１の側壁側から竪樋を挿入するための開口部８が上端から略中間の高さ迄切り欠かれて形成される。
【０００４】
開口部８を閉鎖するための閉塞扉７は断面形状が略半円形状で、一方の側縁が開口部８の側縁に回動ヒンジ１２で回動自在に取付けられる。閉塞扉７の他方の側縁面１３ａには嵌合突起９が設けられ、開口部８の他方の側縁面１３ｂには嵌合溝１０が設けられ、両者が着脱自在に止着できるようになっている。そして、図示しない竪樋を挿入した後、側縁面１３ａと側縁面１３ｂには粘着剤が塗布されるので閉塞扉７は容易に開かないようになっている。
【特許文献１】特開平７−１３９１０９号公報
【発明の開示】
【発明が解決しようとする課題】
【０００５】
ところが、排水管カバーＧ内に竪樋を挿入する際に竪樋の下端部を所定位置で切断する必要があるが、準備不足等で現場に定規が無い場合には竪樋が適切位置で切断されない場合がある。このため、季節の温度変化による竪樋の熱伸縮で排水管カバー或いは竪樋に無理が掛かって破損する場合や竪樋が排水管カバーＧから外れるという問題があった。
【０００６】
また、排水管カバーＧ内の竪樋２の状態は閉塞扉７を開くことで見ることはできるが、側縁面１３ａ、１３ｂに粘着剤が塗布されているので閉塞扉７が容易に開かないようになっている。このため、竪樋２の下端部の位置を確認するために閉塞扉７を無理に開くと排水管カバーＧが損傷する恐れがあった。さらに、閉塞扉７を開く毎に再閉鎖のために粘着剤を再塗布する必要があるので作業が面倒であるという問題があった。
【０００７】
そこで、本発明はかかる従来技術の問題に鑑みなされたものであって、取付け現場において竪樋の下端部の切断位置が明確に確認できて竪樋の下端部が排水管カバーに所定長さ確実に挿入される排水管カバーの構造を提供することを目的とする。
【課題を解決するための手段】
【０００８】
請求項１の発明は、竪樋の下端部を挿入し排水管を蔽囲する筒形状の排水管カバーの構造であって、前記排水管カバーの側面に前記竪樋の挿入する長さを示す目盛りが形成されることを特徴としている。
【０００９】
請求項２の発明は、請求項１に記載の排水管カバーの構造であって、前記排水管カバーの側面に前記竪樋の挿入された下端部を目視する透明部が形成されることを特徴としている。
【００１０】
請求項３の発明は、請求項１又は請求項２に記載の排水管カバーの構造であって、前記透明部は前記排水管カバーの側面に形成された矩形スリット部に内嵌めされる本体部と、この本体部の周縁部に形成され前記側面を内外側から挟持する溝型縁部とで形成されることを特徴としている。
【００１１】
請求項４の発明は、請求項１又は請求項２に記載の排水管カバーの構造であって、前記透明部は前記排水管カバーの側面に形成された矩形スリット部に内嵌めされる本体部と、この本体部の周縁部に形成され前記側面の内側に貼り付けられる内周縁部とで形成されることを特徴としている。
【発明の効果】
【００１２】
請求項１の発明によれば、前記排水管カバーの側面に前記竪樋の挿入する長さを示す目盛りが形成される。そして、前記排水管カバーに挿入しない状態で前記竪樋を目盛りに沿わせて最適な位置で切断できるので、前記竪樋の下端部を排水管カバーに所定の長さで確実に挿入することができる。
【００１３】
このため、季節による温度変化があっても前記竪樋は排水管カバーの内部に熱伸縮代を吸収して安定して保持できるので、熱伸縮で竪樋や排水管カバーが破損することなく、竪樋が排水管カバーから外れることなく、雨水が漏れるということもなくなる。
【００１４】
請求項２の発明によれば、前記排水管カバーの側面に前記竪樋の挿入された下端部を目視する透明部が形成されるので、排水管カバーの外側から前記竪樋の下端部の位置状態を常時容易に確認できる。このため、排水管カバーを分解する必要もなく、請求項１の発明の効果と同様の効果が得られる。
【００１５】
請求項３の発明によれば、前記透明部は前記排水管カバーの側面に形成された矩形スリット部に内嵌めされる本体部と、この本体部の周縁部に形成され前記側面を内外側から挟持する溝型縁部とで形成される。このため、前記透明部は前記排水管カバーに簡単に装着できて、請求項２の発明の効果と同様の効果が得られる。
【００１６】
請求項４の発明によれば、前記透明部は前記排水管カバーの側面に形成された矩形スリット部に内嵌めされる本体部と、この本体部の周縁部に形成され前記側面の内側に貼り付けられる内周縁部とで形成される。このため、前記透明部は前記排水管カバーの内部から矩形スリット部に容易に取付けができて、請求項２の発明の効果と同様の効果が得られる。
【発明を実施するための最良の形態】
【００１７】
＜排水管カバーの構造の構成＞
以下に、本発明の第一の実施形態を図１〜図３に基づいて説明する。
【００１８】
図１、図２に示すように、建物２１の屋根２２に沿って軒樋２３が設けられ、軒樋２３は集水桝２４に連結され、集水桝２４に斜め管２５を介して竪樋２６が連結される。竪樋２６は固定具２６ａで壁面２１ａに固定される。地面２７には排水管２８が敷設され排水管２８の上端部２８ａは地面２７から高さＳ１で突出している。
【００１９】
排水管カバー３０は円筒形状で、下端部３０ａの高さＳ３の領域における外周囲に高さＳ２のスカート部３０ｂを備え、スカート部３０ｂと下端部３０ａとの間に空間部３０ｃが形成される。そして、排水管カバー３０が排水管２８内に挿入されるとともに排水管２８の上端部２８ａはスカート部３０ｂの空間部３０ｃに納まるように、高さＳ３＞高さＳ２＞高さＳ１の関係に形成される。そして、排水管２８を蔽囲する状態の排水管カバー３０に竪樋２６の下端部２６ｂが挿入されている。
【００２０】
排水管カバー３０の側面３０ｄに竪樋２６の挿入される長さを確認するための目盛り３３が形成される。目盛り３３は排水管カバー３０の上端３０ｅから下方に向けて２０ｍｍ毎の等間隔で１００ｍｍまで５箇所に、数字３３ａと横線３３ｂを一対として表示される。図２において、竪樋２６の下端部２６ｂの先端２６ｃは排水管カバー３０の上端３０ｅから略５０ｍｍの位置まで挿入された状態である。
【００２１】
竪樋２６の下端部２６ｂを排水管カバー３０に組付ける手順は、図３に示すように、まず、排水管カバー３０をその据付位置Ｈに仮据付けした状態で、長尺の竪樋２６を若干横振りして排水管カバー３０の目盛り３３に沿わせる。そして、排水管カバー３０の上端３０ｅから長さＴ＝５０ｍｍの目盛り位置Ｐで下端部２６ｂを切断して先端２６ｃを形成する。このとき、切断位置を罫書きしてから切断するのが好ましい。
【００２２】
次に、図示しないが、竪樋２６を排水管カバー３０から遠ざかるように矢印Ｈ１方向に振って、先端２６ｃと地面２７との隙間Ｔ１が排水管カバー３０の高さと同じ寸法の隙間Ｔ２になる位置まで移動する。その位置で、排水管カバー３０を持上げて竪樋２６を挿入した状態の排水管カバー３０を矢印Ｈ２方向に振り戻して据付位置Ｈに据付ける。このように、目標の位置Ｐに合わせて切断したのち挿入された先端２６ｃは確実に排水管カバー３０内において最適な位置に挿入されている。
【００２３】
排水管カバー３０は耐腐食性を考慮して薄板のステンレス材や亜鉛鍍金鋼板や硬質塩化ビニール樹脂等の合成樹脂が使用される。目盛り３３は排水管カバー３０の表面に彫刻形成される。
【００２４】
＜排水管カバーの構造の作用＞
施工時の季節に合わせて竪樋２６の先端２６ｃを排水管カバー３０の最適な位置に設定することができるので、季節の寒暖変化で伸縮する竪樋２６の下端部２６ｂの先端２６ｃを排水管カバー３０の内部の中間領域に安定して保持できるので、竪樋や排水管カバーが破損することや雨水が漏れるということがない。現場施工時に測長器が用意されていないため竪樋が不適切な位置で切断されるという作業ミスを防ぐことができる。
【００２５】
「本発明の第二の実施形態」
本発明の第二の実施形態の排水管カバーの構造を図４、図５（ａ）に基づいて説明するが、図１、図２、図３に示す排水管カバーの構造の構成と同様の構成部分については図面に同符号を付して重複した説明を省略する。
【００２６】
排水管カバー３０の側面３０ｄに透明部３５が形成される。透明部３５は側面３０ｄに形成された幅Ｅの矩形スリット部３６に内嵌めされる本体部３５ａと、この本体部３５ａの周縁部に形成され側面３０ｄを内外側から挟持する溝型縁部３５ｂとで形成される。透明部３５は全幅Ｅ１であるが、実際に透視できる部分は幅Ｅの本体部３５ａ領域である。なお、排水管カバー３０の内径と竪樋２６の外径との関係は溝型縁部３５ｂが側面３０ｄから内部に若干張り出すのを考慮して設定される。
【００２７】
このため、据付け時の初期の先端２６ｃ位置の確認及び据付け後の季節の温度変化による先端２６ｃ位置の確認が排水管カバー３０の外から目視で容易にできるので、竪樋２６の伸縮により竪樋２６や排水管カバー３０が破損することや竪樋２６が排水管カバー３０から外れたり排水管カバー３０から雨水が漏れるということが未然に防止できる。なお、透明部３５の材質はアクリル樹脂等が用いられる。
【００２８】
「本発明の第三の実施形態」
本発明の第三の実施形態の排水管カバーの構造を図５（ｂ）に基づいて説明するが、図１、図２、図３、図４に示す排水管カバーの構造の構成と同様の構成部分については図面に同符号を付して重複した説明を省略する。
【００２９】
透明部３５は、本体部３５ａとこの本体部３５ａの周縁部に形成される内周縁部３５ｃとから成り、内周縁部３５ｃは側面３０ｄの内角度θ（例えば９０度）の円弧部分に対応して貼り付けられる。
【００３０】
「本発明の第四の実施形態」
本発明の第四の実施形態の排水管カバーの構造を図５（ｃ）に基づいて説明するが、図１、図２、図３、図４に示す排水管カバーの構造の構成と同様の構成部分については図面に同符号を付して重複した説明を省略する。
【００３１】
透明部３５は、本体部３５ａとこの本体部３５ａの周縁部に連続形成される内周縁部３５ｄから成り、内周縁部３５ｄは側面３０ｄの内側面全周に亘って形成され、内周縁部３５ｄは側面３０ｄに貼り付けられる。なお、本体部３５ａが矩形スリット部３６に保持されるので、内周縁部３５ｄは側面３０ｄの全周に亘って貼り付ける必要は無く部分的な貼り付けで充分である。
【００３２】
以上、本発明の実施例を図面に基づいて説明したが、具体的な構成はこの実施例に限られるものではなく本発明の要旨を逸脱しない範囲の設計変更等があっても本発明に含まれる。
【００３３】
たとえば、目盛り３３はｍｍ単位表示でも、ｃｍ単位表示でも構わない。また、夏場・冬場等の季節を現す標記や、気温を示す標記、中心・最大・最小等の上下方向の位置を示す標記を使用することもできる。
【００３４】
目盛り３３は排水管カバー３０の表面に彫刻する代わりに塗装表示でも構わない。目盛り３３は側面３０ｄの周囲に複数組設けてもよい。排水管カバー３０は竪樋２６の断面形状に対応して円筒形状以外に矩形筒形状でも使用できる。
【図面の簡単な説明】
【００３５】
【図１】本発明の第一の実施形態における、排水管カバー３０と竪樋２６と排水管２８の組付け状態を示す一部透視側面図である。
【図２】本発明の第一の実施形態における、図１のＡ−詳細断面図である。
【図３】本発明の第一の実施形態における、竪樋２６の下端部２６ｂの切断位置を確認する状態を示す側面斜視図である。
【図４】本発明の第二の実施形態における、排水管カバー３０の状態を示す側面斜視図である。
【図５】（ａ）は本発明の第二の実施形態における図４のＢ−Ｂ断面図、（ｂ）は本発明の第三の実施形態における図４のＢ−Ｂ断面図、（ｃ）は本発明の第四の実施形態における図４のＢ−Ｂ断面図である。
【図６】従来例における、排水管カバーＧの構造を示す側面斜視図である。
【符号の説明】
【００３６】
２６  竪樋
２６ｂ  下端部
２８  排水管
２８ａ  上端部
３０  排水管カバー
３０ａ  下端部
３０ｂ  スカート部
３０ｃ  空間部
３０ｄ  側面
３３  目盛り
３３ａ  数字
３３ｂ  横線
２６ｃ  先端
Ｐ  位置
【図１】
2009174211.tif 000003
【図２】
2009174211.tif 000004
【図３】
2009174211.tif 000005
【図４】
2009174211.tif 000006
【図５】
2009174211.tif 000007
【図６】
2009174211.tif 000008